(57)【特許請求の範囲】
【請求項１】
貨物自動車の荷台に搭載され、積荷を冷凍・冷蔵する冷凍冷蔵庫の前記積荷を搬出入する出入口から冷気が流出するのを防止する冷気止め装置であって、
前記冷気止め装置は、弾性部材からなるシート部材を上向き凸型に形成し、前記シート部材の両端を前記出入口の下縁部分に固定し、前記出入口の下縁部分から所定高さにまで自立可能に立設されたものとし、
前記冷気止め装置は、前記冷気止め装置の側面部分と前記出入口の左右縁部分との間に隙間を備えて設けられたことを特徴とする冷気止め装置。
【請求項２】
前記隙間を被覆可能に形成されたシート状の被覆片を備えた隙間用冷気止め部材を備えたことを特徴とする請求項１記載の冷気止め装置。
【請求項３】
前記冷気止め装置の上端部分と両端の間には、外向き凸型の側面凸部が形成されたことを特徴とする請求項１又は２に記載の冷気止め装置。
【請求項４】
前記冷気止め装置は、前記出入口に設けられた保冷カーテンと前記出入口の上下方向に重なり合うように設けたことを特徴とする請求項１〜３のいずれか１項に記載の冷気止め装置。
【請求項５】
前記冷気止め装置の前記両端付近に折り曲げ部を形成し、前記折り曲げ部を円弧状に形成したことを特徴とする請求項１〜４のいずれか１項に記載の冷気止め装置。
【請求項６】
前記冷気止め装置の前記両端付近に蛇腹部を形成したことを特徴とする請求項１〜５のいずれか１項に記載の冷気止め装置。
【発明の詳細な説明】
【技術分野】
【０００１】
本発明は、貨物自動車の冷凍冷蔵庫の冷気止め装置に関するものである。
【背景技術】
【０００２】
従来、貨物自動車の荷箱内に冷凍冷蔵庫を設置している場合がある。荷箱の扉を開け、荷物の積込・積み下ろしの際、冷気が外に流出してしまうという問題があり、冷気の流出を防止する為、差し込み・回転式などの冷気止め装置を設置したものがある（特許文献１参照）。
【先行技術文献】
【特許文献】
【０００３】
【特許文献１】特開２００６−２９６５６号公報
【発明の開示】
【発明が解決しようとする課題】
【０００４】
しかし、従来の冷気止め装置は、荷役作業時、邪魔になる可能性がある為、脱着構造となっている。しかし、荷役作業時、邪魔になり冷気止め装置を外したまま荷役作業を続けると、冷気の流出につながっていた。そして、冷気流出の結果、冷凍庫温度が上昇してしまい、温度管理が出来なくなる、という問題点もあった。
【０００５】
そこで、本発明は、上記課題を解消するものであり、庫内の乗り込み・荷物の出し入れ・荷物の出し入れで荷物を置く際、邪魔にならず、荷物に傷が付くことを防止する冷気止め装置を提供することを目的とする。
【課題を解決するための手段】
【０００６】
請求項１の発明は、貨物自動車の荷台に搭載され、積荷を冷凍・冷蔵する冷凍冷蔵庫の前記積荷を搬出入する出入口から冷気が流出するのを防止する冷気止め装置であって、前記冷気止め装置は、弾性部材からなるシート部材を上向き凸型に形成し、前記シート部材の両端を前記出入口の下縁部分に固定し、前記出入口の下縁部分から所定高さにまで自立可能に立設されたものとし、前記冷気止め装置は、前記冷気止め装置の側面部分と前記出入口の左右縁部分との間に隙間を備えて設けられたことを特徴とする冷気止め装置。
【０００７】
請求項２の発明は、前記隙間を被覆可能に形成されたシート状の被覆片を備えた隙間用冷気止め部材を備えたことを特徴とする。
【０００８】
請求項３の発明は、前記冷気止め装置の上端部分と両端の間には、外向き凸型の側面凸部が形成されたことを特徴とする。
【０００９】
請求項４の発明は、前記冷気止め装置は、前記出入口に設けられた保冷カーテンと前記出入口の上下方向に重なり合うように設けたことを特徴とする。
【００１０】
請求項５の発明は、前記冷気止め装置の前記両端付近に折り曲げ部を形成し、前記折り曲げ部を円弧状に形成したことを特徴とする。
【００１１】
請求項６の発明は、前記冷気止め装置の前記両端付近に蛇腹部を形成したことを特徴とする。
【発明の効果】
【００１２】
請求項１の発明によれば、固定式の冷気止め装置が常に指定高さで自立しているため、冷気の流出を防止できる。また、冷気止め装置は弾性部材からなり柔軟性を有するため、庫内の乗り込み・荷物を置く際、邪魔にならず、荷物に傷が付くことを防止することが可能である。さらに、シート状もしくは型による押し出し材で制作することにより、簡単に冷凍冷蔵庫に固定できる。また、冷気止め装置の揺動動作を容易にする。
【００１３】
請求項２の発明によれば、隙間から冷気が流出するのを防止する。
【００１４】
請求項３の発明によれば、側面凸部が保冷カーテンの下端と接触することで、出入口からの冷気の流出をより一層防止している。
【００１５】
請求項４の発明によれば、冷気止め装置と保冷カーテンによって出入口全体が被覆されており、出入口における暖気の流入や冷気の流出等の空気の流れを遮断することができる。
【００１６】
請求項５の発明によれば、形状にＲをつけることにより、冷凍冷蔵庫内外の可倒もしくは、荷物を載せたことによる変形後の復元も早くなる。
【００１７】
請求項６の発明によれば、冷気止め装置の冷凍冷蔵庫内外への可倒を容易にすることができる。
【図面の簡単な説明】
【００１８】
【図１】本発明の第１実施例を示す冷気止め装置の断面図である。
【図２】同上、荷箱の斜視図である。
【図３】同上、冷気止め装置を荷箱の内側に倒した状態の荷箱の斜視図である。
【図４】同上、冷気止め装置を荷箱の外側に倒した状態の荷箱の斜視図である。
【図５】本発明の第２実施例を示す冷気止め装置の断面図である。
【図６】本発明の第３実施例を示す冷気止め装置の断面図である。
【図７】本発明の第４実施例を示す冷気止め装置の断面図である。
【図８】本発明の第５実施例を示す冷気止め装置の断面図である。
【図９】本発明の第６実施例を示す冷気止め装置の断面図である。
【図１０】本発明の第７実施例を示す冷気止め装置の断面図である。
【発明を実施するための最良の形態】
【００１９】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２０】
図１乃至図４は、本発明の貨物自動車用荷箱の冷気止め装置における第１実施例を示しており、本実施例の貨物自動車の荷台には、図示しない温度調節手段を備えた冷凍冷蔵庫である荷箱１が設置され、この荷箱１には内部と外部とを連通し、積荷を搬出入する出入口２が設けられている。
【００２１】
この出入口２には、出入口２に対して開閉可能な開閉扉３が設けられている。
【００２２】
また、出入口２には、暖簾式、スライド式、ロールカーテン式等の透明ビニール製の保冷カーテン４が設けられている。
【００２３】
出入口２の下縁部分２Ａには、本実施例の冷気止め装置５が設置されている。冷気止め装置５は、シート状、又は押し出し成型品からなる弾性部材からなり、ここでの弾性部材は、冷凍温度内でも柔軟性を有し、且つ、荷箱１内に設置される図示しないオゾン脱臭装置を考慮した耐オゾン性を有する材質を用いることが好ましい。尚、荷箱１内の環境においては、耐オゾン性を有さない合成ゴム等の合成樹脂や天然ゴム等の弾性材料を冷気止め装置５に使用することも可能である。
【００２４】
冷気止め装置５は、上向き凸型に形成し、その両端５Ａを下縁部分に固定し、前記出入口２の下縁部分から所定高さＬ（例えば、Ｌ＝１５０ｍｍ）にまで自立可能に立設されたものである。
【００２５】
そして、冷気止め装置５の上端部分５Ｂを上向き凸型の円弧状に形成しつつ、冷気止め装置５の両端５Ａ付近を内向き凸型の円弧状に折り曲げて折り曲げ部６を形成し、この冷気止め装置５の両端５Ａをアルミ等の金属製の板状部材からなる押さえ部材７で上から押さえた状態で、押さえ部材７ごと螺子部材等の固定手段８によって、出入口２の下縁部分２Ａに固定する。
【００２６】
尚、冷気止め装置５の上端部分５Ｂと保冷カーテン４の下端とは、出入口２の上下方向に重なり合うように設けられており、冷気止め装置５と保冷カーテン４によって出入口２全体が被覆されており、出入口２における暖気の流入や冷気の流出等の空気の流れを遮断している。
【００２７】
また、冷気止め装置５の上端部分５Ｂと折り曲げ部６の間には、外向き凸型の円弧状の側面凸部９が形成されており、この側面凸部９が保冷カーテン４の下端と接触することで、出入口２からの冷気の流出をより一層防止している。
【００２８】
冷気止め装置５の側面部分と、出入口２の左右縁部分２Ｂ，２Ｃとの間には、冷気止め装置５を荷箱１の内外方向へ揺動させて可倒するために隙間１０が形成されており、隙間１０を被覆可能に形成されたシート状のゴム部材からなる被覆片１１を備え、この隙間１０から冷気が流出するのを防止する隙間用冷気止め部材１２を備えている。
【００２９】
以上の構成の冷気止め装置５の使用方法について説明する。まず、開閉扉３により、出入口２が閉じられた状態の荷箱１は、図示しない温度調節手段により荷箱１内の空気が冷やされ、外気より低温に保たれている。
【００３０】
そして、冷気止め装置５と保冷カーテン４によって、出入口２から荷箱１内の冷気の流出が防止されている荷箱１では、荷物の搬出入のため、作業者が開閉扉３を開けて出入口２を通過する際に、作業者の足Ｆが冷気止め装置５に引っ掛かっても、弾性部材からなる冷気止め装置５は足Ｆの進行方向へと弾性変形して倒れるので、作業者の搬出入作業の邪魔にならない。
【００３１】
また、作業者によって倒された冷気止め装置５は、弾性復元力によって元の起立状態へと戻るので、作業者が出入口２を通過した後の冷気の流出を防止する。
【００３２】
以上のように本実施例では、貨物自動車の荷台に搭載され、積荷を冷凍・冷蔵する冷凍冷蔵庫としての荷箱１の前記積荷を搬出入する出入口２から冷気が流出するのを防止する冷気止め装置５であって、前記冷気止め装置５は、弾性部材からなるシート部材を上向き凸型に形成し、前記シート部材の両端５Ａを前記出入口２の下縁部分２Ａに固定し、前記出入口２の下縁部分２Ａから所定高さＬにまで自立可能に立設されたものであり、前記出入口２を通過する際に作業者によって倒された後、弾性復元力によって起立状態に復帰するものである。
【００３３】
この場合、固定式の冷気止め装置５が常に指定高さで自立しているため、冷気の流出を防止できる。また、冷気止め装置５は弾性部材からなり柔軟性を有するため、庫内の乗り込み・荷物を出し入れで置く際、邪魔にならず、荷物に傷が付くことを防止することが可能である。さらに、シート状もしくは型による押し出し材で制作することにより、簡単に荷箱１に固定できる。
【００３４】
また、前記冷気止め装置５の上端部分５Ｂを円弧状に形成している。この場合、前記冷気止め装置５をシート状、もしくは型による押し出し成型品とすることで、衝撃のかかる所にＲ形状を作ることが可能で、衝撃を吸収することが可能となる。
【００３５】
さらに、前記冷気止め装置５の前記両端５Ａ付近に折り曲げ部６を形成し、前記折り曲げ部６を円弧状に形成している。この場合、冷気止め装置５の形状にＲをつけることにより、冷凍冷蔵庫内外の可倒もしくは、荷物を載せたことによる変形後の復元も早くなる。また、倒した状態の冷気止め装置５では、円弧状の折り曲げ部６によって固定手段８の螺子部材の頭部が冷気止め装置５から離間した状態にあり、固定手段８によって冷気止め装置５が破損することを防止することができる。さらに、折り曲げ部６の円弧が大きく形成されたことで、くり返しの曲げに対し、一般の板状の弾性部材の下部を金具で挟んで床面に立設するような構成に比べて、弾性部材が金具等の干渉を受けない構成となっているため、耐久性に優れている。
【実施例２】
【００３６】
次に図５は、本発明の第２実施例を示すものである。同図において、図１〜図４と同一部分には同一符号を付し、その共通する部分の詳細な説明は省略する。本実施例の冷気止め装置５では、保冷カーテン４側のみに側面凸部９を設け、冷気止め装置５の断面形状をコンパクトな構成としており、荷室１の収容スペースを効率よく使用することができる。
【実施例３】
【００３７】
次に図６は、本発明の第３実施例を示すものである。同図において、図１〜図５と同一部分には同一符号を付し、その共通する部分の詳細な説明は省略する。本実施例の冷気止め装置５では、側面をストレート状に構成し、冷気止め装置５の断面形状をコンパクトな構成とし、荷箱１の収容スペースをさらに効率よく使用することができる。
【実施例４】
【００３８】
次に図７は、本発明の第４実施例を示すものである。同図において、図１〜図６と同一部分には同一符号を付し、その共通する部分の詳細な説明は省略する。本実施例の冷気止め装置５では、両端５Ａのうち一方のみに折り曲げ部６を形成して下縁部分２Ａに固定し、他方を自由端とすることで、取付スペースの限られた場所への冷気止め装置５の取付を可能としている。
【実施例５】
【００３９】
次に図８は、本発明の第５実施例を示すものである。同図において、図１〜図７と同一部分には同一符号を付し、その共通する部分の詳細な説明は省略する。本実施例の冷気止め装置５では、両端５Ａのうち一方のみに折り曲げ部６を形成して下縁部分２Ａに固定し、他方をストレート形状として下縁部分２Ａの垂直面に固定することで、取付スペースの限られた場所への冷気止め装置５の取付を可能としている。
【実施例６】
【００４０】
次に図９は、本発明の第６実施例を示すものである。同図において、図１〜図８と同一部分には同一符号を付し、その共通する部分の詳細な説明は省略する。本実施例の冷気止め装置５では、折り曲げ部６付近の側面に蛇腹部１３を形成している。
【００４１】
以上のように、前記冷気止め装置５の前記両端５Ａ付近に蛇腹部１３を形成したことにより、冷気止め装置５の冷凍冷蔵庫内外への可倒を容易にすることができる。
【実施例７】
【００４２】
次に図１０は、本発明の第７実施例を示すものである。同図において、図１〜図９と同一部分には同一符号を付し、その共通する部分の詳細な説明は省略する。本実施例の冷気止め装置５では、両端５Ａに補強部材１４として金属製の板部材をインサート成型によって設けている。これによって、押さえ部材７を不要として、部品点数の削減を図ることができる。
【００４３】
尚、本発明は上記各実施例に記載の内容に限定されず、適宜変更可能である。例えば、冷気止め装置の板厚・硬度を使用状況に合わせることにより、適正な板厚・硬度を選定することが可能となる。冷気止め装置の材質において、冷凍冷蔵庫の使用温度、設備に合わせた材質を選択することが可能となる。また、冷気止め装置の表面に滑り止め用の凹凸を設けてもよいものとする。
【符号の説明】
【００４４】
１  荷箱
２  出入口
２Ａ  下縁部分
３  開閉扉
４  保冷カーテン
５  冷気止め装置
５Ａ  両端
５Ｂ  上端部分
６  折り曲げ部
９  側面凸部
１０  隙間
１１  被覆片
１２  隙間用冷気止め材
１３  蛇腹部
【図１】
0006258888.tif 000002
【図２】
0006258888.tif 000003
【図３】
0006258888.tif 000004
【図４】
0006258888.tif 000005
【図５】
0006258888.tif 000006
【図６】
0006258888.tif 000007
【図７】
0006258888.tif 000008
【図８】
0006258888.tif 000009
【図９】
0006258888.tif 000010
【図１０】
0006258888.tif 000011